(57)【特許請求の範囲】
【請求項１】
通信路に接続される端末装置を管理する管理装置は、
鍵錠装置の鍵データを記憶する鍵記憶手段と、
前記端末装置から送信されてきた予約情報を記憶する予約情報記憶手段と、
前記端末装置から鍵データ要求を受信すると、前記予約情報記憶手段に記憶された予約情報に基づいて前記鍵記憶手段に記憶されている鍵データを該端末装置に送信する送信手段とを有し、
前記端末装置は、
管理装置の送信手段から送られてきた鍵データを前記鍵錠装置に送信する鍵データ送信手段を有し、
前記鍵錠装置は、
この端末装置から送信されてきた鍵データに基づいて鍵錠の開閉を制御する制御手段を有する、
ことを特徴とする鍵錠システム。
【請求項２】
通信路に接続される端末装置を管理する管理装置と、鍵錠装置とからなる鍵錠システムであって、
前記管理装置は、
前記鍵錠装置の鍵データを記憶する鍵記憶手段と、
予約情報を記憶する予約情報記憶手段と、
前記端末装置から鍵データ要求を受信すると、前記予約情報記憶手段に記憶された予約情報に基づいて前記鍵記憶手段に記憶されている鍵データを該端末装置に送信する送信手段とを有し、
前記鍵錠装置は、
前記端末装置から送信されてきた鍵データに基づいて鍵錠の開閉を制御する制御手段を有する、
ことを特徴とする鍵錠システム。
【請求項３】
前記予約情報記憶手段に記憶される予約情報は、予約時間を示す時間情報を含み、
前記送信手段は、前記端末装置から鍵データ要求を受信すると、該鍵データ要求の受信時刻が前記予約情報記憶手段に記憶された予約情報に含まれる時間情報が示す予約時間内である場合に、前記鍵記憶手段に記憶されている鍵データを該端末装置に送信することを特徴とする請求項１又は２記載の鍵錠システム。
【請求項４】
前記予約情報記憶手段に記憶される予約情報は、前記端末装置を識別する端末情報を含み、
前記送信手段は、前記端末装置から鍵データ要求を受信すると、該鍵データ要求を送信した端末装置の端末情報が、前記予約情報記憶手段に記憶された予約情報に含まれる端末情報である場合に、前記鍵記憶手段に記憶されている鍵データを該端末装置に送信することを特徴とする請求項１又は２記載の鍵錠システム。
【請求項５】
通信路に接続される端末装置と、前記端末装置を管理する管理装置と、鍵錠装置とからなる鍵錠システムにおける端末装置であって、
予約情報を記憶する前記管理装置に鍵データ要求を送信する鍵データ要求送信手段と、
該鍵データ要求に応じて前記管理装置の送信手段から送られてきた鍵データを受信する鍵データ受信手段と、
前記鍵錠装置における鍵錠の開閉を制御するために、前記鍵データ受信手段で受信した鍵データを前記鍵錠装置に送信する鍵データ送信手段とを有することを特徴とする端末装置。
【発明の詳細な説明】
【０００１】
【発明の属する技術分野】
本発明は、鍵の受け渡しを伴うことなく部屋や施設等予約対象の開錠を行う鍵錠システムに関する。
【０００２】
【従来の技術】
従来、ＬＡＮを用いた部屋の予約システムが実用化されている。この予約システムは、机上のパソコン等から予約者のＩＤと予約データとを送信することにより、管理部署に出向かずとも部屋の予約が完了する。また、予約した部屋を使用するに際しては、管理部署に出向いて鍵を受け取り、この鍵で予約した部屋の錠を開放して使用する。
【０００３】
【発明が解決しようとする課題】
しかしながら、このような従来の予約システムの場合、依然として鍵は用いることから、予約した者は部屋を使用するに際して鍵を受領すべく、管理部署に出向かなければならない。よって、ユーザにとっては煩わしいこととなり、一方管理部署は鍵の管理を行うことにより、管理コストを要してしまう。また、鍵の受け渡しを伴うことから、予約した者の以外の者に鍵を渡してしまう場合や鍵を紛失してしまう場合も想定され、セキュリティ上も万全なものではなかった。
【０００４】
本発明は、このような従来の課題に鑑みてなされたものであり、鍵の受け渡しを伴うことなく、部屋や施設等の使用に際して開錠を伴う予約対象を管理することのできる鍵錠システムを提供することを目的とするものである。
【０００５】
【課題を解決するための手段】
前記課題を解決するために請求項１記載の発明にあっては、通信路に接続される端末装置を管理する管理装置は、鍵錠装置の鍵データを記憶する鍵記憶手段と、前記端末装置から送信されてきた予約情報を記憶する予約情報記憶手段と、前記端末装置から鍵データ要求を受信すると、前記予約情報記憶手段に記憶された予約情報に基づいて前記鍵記憶手段に記憶されている鍵データを該端末装置に送信する送信手段とを有し、前記端末装置は、管理装置の送信手段から送られてきた鍵データを前記鍵錠装置に送信する鍵データ送信手段を有し、前記鍵錠装置は、この端末装置から送信されてきた鍵データに基づいて鍵錠の開閉を制御する制御手段を有する。
【０００６】
また、請求項２記載の発明にあっては、通信路に接続される端末装置を管理する管理装置と、鍵錠装置とからなる鍵錠システムであって、前記管理装置は、前記鍵錠装置の鍵データを記憶する鍵記憶手段と、予約情報を記憶する予約情報記憶手段と、前記端末装置から鍵データ要求を受信すると、前記予約情報記憶手段に記憶された予約情報に基づいて前記鍵記憶手段に記憶されている鍵データを該端末装置に送信する送信手段とを有し、前記鍵錠装置は、前記端末装置から送信されてきた鍵データに基づいて鍵錠の開閉を制御する制御手段を有する。
【０００７】
また、請求項３記載の発明にあっては、請求項１又は２記載の鍵錠システムにおいて、前記予約情報記憶手段に記憶される予約情報は、予約時間を示す時間情報を含み、前記送信手段は、前記端末装置から鍵データ要求を受信すると、該鍵データ要求の受信時刻が前記予約情報記憶手段に記憶された予約情報に含まれる時間情報が示す予約時間内である場合に、前記鍵記憶手段に記憶されている鍵データを該端末装置に送信する。
【０００８】
また、請求項４記載の発明にあっては、請求項１又は２記載の鍵錠システムにおいて、前記予約情報記憶手段に記憶される予約情報は、前記端末装置を識別する端末情報を含み、前記送信手段は、前記端末装置から鍵データ要求を受信すると、該鍵データ要求を送信した端末装置の端末情報が、前記予約情報記憶手段に記憶された予約情報に含まれる端末情報である場合に、前記鍵記憶手段に記憶されている鍵データを該端末装置に送信する。
【０００９】
また、請求項５記載の発明にあっては、通信路に接続される端末装置と、前記端末装置を管理する管理装置と、鍵錠装置とからなる鍵錠システムにおける端末装置であって、予約情報を記憶する前記管理装置に鍵データ要求を送信する鍵データ要求送信手段と、該鍵データ要求に応じて前記管理装置の送信手段から送られてきた鍵データを受信する鍵データ受信手段と、前記鍵錠装置における鍵錠の開閉を制御するために、前記鍵データ受信手段で受信した鍵データを前記鍵錠装置に送信する鍵データ送信手段とを有する。
【００１１】
【発明の実施の形態】
以下、本発明の一実施の形態を図に従って説明する。図１は、本実施の形態のシステム構成図であり、同図に示すように本実施の形態は、端末１、所定の構内に配置された複数の基地局（構内基地局）２、予約情報データベース３を備えたセンター４、及び複数の鍵装置５とで構成される。端末１は、図２に示すように、上端部にアンテナ７が支持された機器本体６を有し、この機器本体６の前面には、ＬＣＤからなる表示部８が配置され、前面下部には予約キー９ａ、開キー９ｂ、閉キー９ｃ、及びテンキーやアルファベットキー等で構成されるその他のキー９ｄが配置されている。
【００１２】
図３は、この端末１の回路構成を示すブロック図であり、前記アンテナ７は送受信部１０に接続されている。この送受信部１０は、受信側では、アンテナ７から入力された基地局２からの信号を送信／受信を振り分けるアンテナスイッチを介して取り込み、これを復調してＣＰＵ１１に供給する。送信側では、ＣＰＵ１１から入力された信号を所定周波数の発振信号と混合することにより周波数変換し、アンテナスイッチを介してアンテナ７から輻射する。ＣＰＵ１１には、さらに前記キー９ａ〜９ｄを有するキー入力部９からのキー操作情報が入力される。ＣＰＵ１１は、これらキー操作情報と記憶装置１２に格納されているプログラムに基づきＲＡＭ１３をワークエリアとして使用しつつ動作し、所定プロトコルに従い表示部８を含む装置全体を制御する。記憶装置１２は、この端末１で必要な処理行うための各種プログラム等が予め記憶されている記録媒体１２ａを有しており、この記録媒体１２ａは磁気的、光学的記録媒体、若しくは半導体メモリで構成されている。この記録媒体１２ａは、記憶装置６に固定的に設けたもの、若しくは脱着自在に装着するものである。なお、この記録媒体１２ａには、各端末１毎に予め設定されている端末ＩＤも記憶されている。
【００１３】
図４は、センター４の構成を示すブロック図であり、前記複数の基地局２は制御線を介して交換部１４に接続されている。この交換部１４は、各基地局２から入力された端末１からの信号を取り込み復調してＣＰＵ１５に供給し、あるいはＣＰＵ１５から入力された信号を所定周波数の発振信号と混合することにより周波数変換し、各基地局２に出力する。ＣＰＵ１５には、さらに前記予約情報データベース３、記憶装置１６、ＲＡＭ１７が接続されている。このＣＰＵ１５は、記憶装置１６に格納されているプログラムに基づきＲＡＭ１７をワークエリアとして使用しつつ動作し、予約情報データベース３を管理するとともに、このセンター４において必要な処理を実行する。記憶装置１６は、このセンター４で必要な処理行うための各種プログラム等が予め記憶されている記録媒体１６ａを有しており、この記録媒体１６ａは前述した端末１における記録媒体１２ａと同様に、磁気的、光学的記録媒体、若しくは半導体メモリで構成され、記憶装置１６に固定的に設けたもの、若しくは脱着自在に装着するものである。
【００１４】
前記予約情報データベース３は、図５のフォーマット図に示すように、各々対応する複数の部屋記憶エリア３ａ、時間記憶エリア３ｂ、及び端末ＩＤ記憶エリア３ｃを有している。部屋記憶エリア３ａには予約した部屋Ａ又は部屋Ｂを示すデータが記憶され、時間記憶エリア３ｂには予約年月日及び時間が記憶され、端末ＩＤ記憶エリア３ｃには予約を行った端末のＩＤが各々対応して記憶される。
【００１５】
前記鍵装置５は、予約対象としての部屋Ａのドアと部屋Ｂのドアに各々設けられている。各鍵装置５は、センター４のＣＰＵ１５に接続され、該ＣＰＵ１５からの制御信号により動作する電磁アクチュエータ等の駆動機構と、この駆動機構により開閉駆動される鍵機構とで構成されている。
【００１６】
次に、以上の構成にかかるシステムの動作について説明する。ユーザが部屋を予約するに際しては、各ＣＰＵ１１，１５が各々記録媒体１２ａ，１６ａに記憶されているプログラムに基づき処理を実行することにより、端末１とセンター４とは図６に示すフローチャートに従って動作する。すなわち、ユーザが端末１においてキー入力部９に設けられている予約キー９ａ、開キー９ｂ、閉キー９ｃのいずれかを操作すると、端末１のＣＰＵ１１は、操作されたキーの種別によりその命令内容を識別する（ステップＴＡ１）。そして、予約キー９ａが操作されたならば、命令内容は「予約」であると断定して（ステップＴＡ２）、予約情報の入力処理を実行する（ステップＴＡ３）。
【００１７】
この予約情報の入力処理においては、図２に示したように、「部屋：」「日付：」「時間：」の項目と各項目に対応する矩形領域とからなる部屋予約画面を表示部８に表示する。この状態で、ユーザがその他のキー９ｄを操作して、予約する部屋、日付、時間を入力すると、この入力された予約情報を取り込んで、各項目に対応する矩形領域に表示する。そして、例えば図示のように、ユーザにより部屋：「部屋Ａ」、日付：「１９９６年１２月１９日」、時間：「１５:００  １７:００」と各項目に対応する全ての予約情報が入力され、再度予約キー９ａが操作されると、この予約情報を構成する部屋指定情報と日付及び時間指定情報、及び当該端末１の端末ＩＤを送受信部１０及びアンテナ７を介して送信する（ステップＴＡ４）。しかる後に、センター４からの応答待ちの状態を維持する（ステップＴＡ５）。
【００１８】
他方センター４は、端末１からの受信待ちの状態を維持している（ステップＣＡ１）。そして、端末１から情報を受信するとその命令内容を識別し（ステップＣＡ２）、受信した情報が予約情報であったならば、命令内容は「予約」であると断定する（ステップＣＡ３）。また、命令内容が「予約」であると断定したならば、予約情報データベース３を検索し、同部屋かつ同時間予約があるか否か、つまり部屋記憶エリア３ａと対応する時間記憶エリア３ｂとに、受信した予約情報と同部屋かつ同時間（少なくとも時間の一部が重複）が記憶されているか否かを判別する（ステップＣＡ４）。この判別の結果、受信した予約情報と同部屋かつ同時間予約が、予約情報データベース３の対応する部屋記憶エリア３ａと時間記憶エリア３ｂとにある場合には、これを受け付けてしまうと重複部屋予約となることから、これを受け付けることなく『予約不可』を送信する（ステップＣＡ８）。
【００１９】
また、予約情報と同部屋かつ同時間予約が予約情報データベース３にない場合には、さらに同端末ＩＤかつ同時時間予約があるか否か、つまりＩＤ記憶エリア３ｃと対応する時間記憶エリア３ｂとに、受信した予約情報と同端末ＩＤかつ同時間（少なくとも時間の一部が同時間）が記憶されているか否かを判別する（ステップＣＡ５）。この判別の結果、予約情報データベース３に同端末ＩＤかつ同時間予約がある場合には、部屋は別であるにしても同一ユーザによる重複時間予約であることから、前述と同様に、『予約不可』を送信し（ステップＣＡ８）、予約データベース３への記録つまり予約を受け付けない。したがって、同一ユーザによる重複した時間帯での部屋予約を未然に防止することができ、これにより部屋の有効利用を図ることができる。しかし、予約情報データベースに同部屋かつ同時間予約がなく、同端末ＩＤかつ同時間予約がない場合には、今回受信した予約を受け付けて、予約情報が示す部屋、日付及び時間、端末ＩＤを各々対応する部屋記憶エリア３ａ、時間記憶エリア３ｂ、端末ＩＤ記憶エリア３ｃに記録し（ステップＣＡ６）、しかる後に『予約ＯＫ』を送信する（ステップＣＡ７）。
【００２０】
すると、ステップＴＡ５でセンター４からの応答待ちを維持している端末１は、センター４から送信された『予約不可』又は『予約ＯＫ』を受信して、表示部８にこの受信した『予約不可』又は『予約ＯＫ』を表示させる（ステップＴＡ６）。したがって、ユーザはこの表示部８に表示されるセンター４からの応答内容を見ることにより、予約結果を確認することができる。なお、ステップＣＡ８でセンター４から『予約不可』を送信する際には、その理由が“同部屋かつ同時間予約”つまり他の者の予約と重複しているのか、あるいは“同端末ＩＤかつ同時間予約”つまり本人の予約が重複しているのかを示すメッセージを送信するようにしてもよい。これにより、ユーザは予約不可の理由を知ることができ、予約不可に対する対応を適切に行う等が可能となる。
【００２１】
他方、ユーザが予約した部屋の鍵を開閉するに際して、端末１とセンター４のＣＰＵ１１，１５、及び各部屋Ａ，Ｂの鍵装置５は、図７に示すフローチャートに従って動作する。すなわち、ユーザが端末１においてキー入力部９に設けられているキー９ａ、９ｂ、９ｃのいずれかを操作すると、端末１のＣＰＵ１１は、操作されたキーの種別によりその命令内容を識別する（ステップＴＢ１）。そして、開キー９ｂ又は閉キー９ｃが操作されたならば、命令内容は「鍵開閉」であると断定して（ステップＴＢ２）、鍵開閉命令を作成する（ステップＴＢ３）。このとき、この作成する鍵開閉命令中で、開キー９ｂが操作された場合には開を指定し、閉キー９ｂが操作された場合には閉を指定する。引き続き、この開又は閉を指定した鍵開閉命令と、当該端末１の端末ＩＤとを送受信部１０及びアンテナ７を介して送信し（ステップＴＢ４）、しかる後に、センター４からの応答待ちの状態を維持する（ステップＴＢ５）。
【００２２】
一方センター４は、端末１からの受信待ちの状態を維持しており（ステップＣＢ１）、端末１から情報を受信するとその命令内容を識別する（ステップＣＢ２）。そして、鍵開閉命令を受信したならば、命令内容は「鍵開閉」であると断定して（ステップＣＢ３）、予約情報データベース３を検索して受信した端末ＩＤで予約した予約情報があるか否か、つまり受信した端末ＩＤが予約情報データベース３の端末ＩＤ記憶エリア３ｃに記憶されているか否かを判別する（ステップＣＢ４）。この判別の結果、受信した端末ＩＤが予約情報データベース３の端末ＩＤ記憶エリア３ｃに記憶されていない場合には、非予約者の端末からの鍵開閉命令であって、この鍵開閉命令を受け付けるわけにはいかない。よって、この場合には、鍵装置５を動作させることなく『鍵開閉不可』を送信し（ステップＣＢ８）、これによりセキュリティを確保する。
【００２３】
また、受信した端末ＩＤが予約情報データベース３の端末ＩＤ記憶エリア３ｃに記憶されている場合には、さらに、現在時刻が予約時間内の予約情報があるか否か、つまり、現在時刻が、受信した端末ＩＤが記憶されている端末ＩＤ記憶エリア３ｃと対応する時間記憶エリアに記憶されている予約時間内であるか否かを判別する（ステップＣＢ５）。この判別の結果、現在時刻が予約時間外である場合、すなわち予約時間前や予約時間経過後である場合には、この鍵開閉命令を受け付けるわけにはいかないことから、前述と同様に鍵装置５を動作させることなく『鍵開閉不可』を送信する（ステップＣＢ８）。
【００２４】
しかし、受信した端末ＩＤが予約情報データベース３の端末ＩＤ記憶エリア３ｃに記憶されており、かつ現在時刻が、対応する時間記憶エリアに記憶されている予約時間内であれば、間違いなく予約したユーザが、当該部屋を使用する権利を有する時間内に鍵の開閉を要求している場合である。したがって、この場合には受信した鍵開閉命令に応じて開又は閉を指定した鍵開閉制御信号を、対応する部屋記憶エリア３ａに記憶されている部屋Ａ又は部屋Ｂの鍵装置５に出力する（ステップＣＢ６）。しかる後に、『鍵開閉ＯＫ』、つまり鍵開閉命令が開指定であれば『鍵開ＯＫ』、閉指定であれば『鍵閉ＯＫ』を送信する（ステップＣＢ７）。すると、ステップＴＢ５でセンター４からの応答待ちを維持している端末１は、センター４から送信された『鍵開ＯＫ』『鍵閉ＯＫ』又は『鍵開閉不可』を受信して、表示部８にこの受信した『鍵開ＯＫ』『鍵閉ＯＫ』又は『鍵開閉不可』を表示させる（ステップＴＢ６）。
【００２５】
他方、各部屋Ａ、Ｂの鍵装置５は、センター４からの命令（開閉制御信号）待ちの状態を常時維持しており（ステップＫＢ１）、開閉制御信号が入力されるとその信号が示す内容に応じて駆動部を動作させて（ステップＫＢ２，ＫＢ３）、鍵機構を開又は閉駆動する（ステップＫＢ４）。これにより、予約した部屋に入室する際にはドアを開放することができ、退室する際にドアを閉止することもできる。したがって、ユーザは予約した部屋を使用するに際して、わざわざセンター４まで出向いて鍵を借りる必要はなく、煩雑性を伴わずに予約した部屋の使用を開始することができるのみならず、部屋使用後にセンター４へ鍵を返す必要もなく、煩雑性を伴わずに部屋の使用を終了することもできる。また、センター４は、鍵を管理する必要がないことから、鍵の管理コストを削減することができ、また鍵の紛失や盗難もないことからセキュリティも堅固なものとなる。
【００２６】
しかも、端末１の表示部８には、前述したステップＴＢ６によって鍵装置５が開となった場合には『鍵開ＯＫ』が、閉となった場合には『鍵閉ＯＫ』が、開閉動作しない場合には『鍵開閉不可』が各々表示される。よって、ユーザが『鍵開ＯＫ』の表示を視認することにより、鍵装置５が開となっていることを知ることができ、スムーズに入室することができる。また、『鍵閉ＯＫ』の表示を視認することにより、鍵装置５が閉となったことを知ることができ、安心感を得ることができ、さらには、『鍵開閉不可』の表示を視認することにより、予約に関する自己の記憶の誤りを認識することもできる。
【００２７】
なお、この実施の形態においては、センター４から各部屋Ａ，Ｂの鍵装置５に対する開閉制御を専用の制御線を介して行うようにしたが、無線通信や電話回線を用いて行うようにしてもよい。また、センター４において各部屋Ａ，Ｂ毎に、端末１からの鍵開閉命令の履歴を記録するようにすれば、部屋Ａ，Ｂの使用状況を把握することができるばかりでなく、実際の部屋使用率を算出することも可能となる。さらに、予約時間が過ぎても端末１から部屋の鍵を閉める鍵開閉命令がない場合、センター４から端末１に注意を促す表示指示を行えば、鍵の閉めわすれを防止することができる。また、予約時間外においてセンター４から鍵閉信号を各鍵装置５に出力することにより、端末１による鍵の閉め忘れがあっても、各部屋Ａ，Ｂのドアを閉止することができ、これによりセキュリティを高めることもできる。
【００２８】
図８は本発明の第２の実施の形態を示すものであり、センター４にはさらに部屋／基地局対応データベース１８を備えている。この部屋／基地局対応データベース１８は、図９に示すように、相対応する複数の部屋記憶エリア１８ａと基地局記憶エリア１８ｂとを有しており、両エリア１８ａ，１８ｂには、各部屋Ａ，Ｂを示すデータと当該部屋Ａ，Ｂに最も近い何れかの基地局２を示すデータとが対応して記憶されている。なお、この部屋／基地局対応データベース１８を有する以外の構成は前述した第１の実施の形態と同様であり、また、予約時の処理手順も図６をもって説明した第１の実施の形態と同様である。
【００２９】
そして、ユーザが予約した部屋の鍵を開閉するに際して、端末１とセンター４のＣＰＵ１１，１５、及び各部屋Ａ，Ｂの鍵装置５は、図１０に示すフローチャートに従って動作する。この図１０に示すフローチャートにおいて、端末１の処理手順を示すステップＴＣ１〜ＴＣ６と、鍵装置５の動作を示すステップＫＣ１〜ＫＣ４は、前述した第１の実施の形態における図７のステップＴＢ１〜ＴＢ６、及びステップＫＢ１〜ＫＢ４と同様であり、センター４での処理のみが第１の実施の形態とは異なる。
【００３０】
すなわち、センター４は、端末１からの受信待ちの状態を維持しており（ステップＣＣ１）、鍵開閉命令を受信したならば、該鍵開閉命令にこれを受信した受信基地局を示す受信基地局情報を付加する（ステップＣＣ２）。さらに、命令内容を識別し（ステップＣＣ３）、識別結果に基づき命令内容を「鍵開閉」であると断定した後（ステップＣＣ４）、予約情報データベース３の検索を開始する。そして、この検索結果に基づき、同端末ＩＤで、かつ、現在時刻が予約時間内の予約情報にあるか否か、つまり受信した端末ＩＤが予約情報データベース３の端末ＩＤ記憶エリア３ｃに記憶され、かつ、現在時刻が、この端末ＩＤ記憶エリア３ｃと対応する時間記憶エリアに記憶されている予約時間内であるか否かを判別する（ステップＣＣ５）。この判別の結果、受信した端末ＩＤが予約情報データベース３の端末ＩＤ記憶エリア３ｃに記憶されていない場合、及び記憶されていても、現在時刻が、この端末ＩＤ記憶エリア３ｃと対応する時間記憶エリアに記憶されている予約時間内でない場合には、この鍵開閉命令を受け付けるわけにはいかないことから、『鍵開閉不可』を送信する（ステップＣＣ９）。
【００３１】
しかし、受信した端末ＩＤが予約情報データベース３の端末ＩＤ記憶エリア３ｃに記憶されており、かつ現在時刻が、対応する時間記憶エリアに記憶されている予約時間内であれば、さらに部屋／基地局対応データベース１８を検索し、受信した（位置登録してある）基地局２が予約してある部屋に対応する基地局（ａ，ｂ，ｃ）であるか否かを判別する（ステップＣＣ６）。この判別の結果、受信した基地局２が予約してある部屋に対応する基地局でない場合には、ユーザが未だ予約した部屋の近くまで来ていない状態で、開キー９ｂを操作した場合あるいは開キー９ｂを誤操作した場合が想定される。よって、この時点で部屋の鍵を開けてしまうことはセキュリティ上好ましくないことから、この場合には、前述と同様に『鍵開閉不可』を送信する（ステップＣＣ９）。
【００３２】
また、ステップＣＣ５とステップＣＣ６の条件を満たした場合には、間違いなく予約したユーザが、当該部屋を使用する権利を有する時間内に、予約した部屋の近く例えば部屋の前で鍵の開閉を要求している場合である。したがって、この場合には受信した鍵開閉命令に応じて開又は閉を指定した鍵開閉制御信号を、対応する部屋記憶エリア３ａに記憶されている部屋Ａ又は部屋Ｂの鍵装置５に出力した後（ステップＣＣ７）、『鍵開閉ＯＫ』、つまり鍵開閉命令が開指定であれば『鍵開ＯＫ』、閉指定であれば『鍵閉ＯＫ』を送信する（ステップＣＣ８）。したがって、この実施の形態の場合、端末１からの鍵開閉命令が予約した部屋の近くで送信された場合にのみ、対応する鍵装置５が開閉することとなる。よって、誤操作による鍵装置５の開閉を防止できるのみならず、ユーザが遠くにいる状態で鍵装置５が開となってしまうことがなく、セキュリティを向上させることができる。
【００３３】
図１１は本発明の第３の実施の形態を示すものであり、センター４は前記予約情報データベース３と鍵データメモリ１９とを有している。この鍵データメモリ１９には、図１２に示すように、相対応する鍵装置記憶エリア１９ａと鍵データ記憶エリア１９ｂとを有しており、両エリア１９ａ，１９ｂには、各部屋Ａ，Ｂの鍵装置５を示すデータ（鍵装置（Ａ）、鍵装置（Ｂ））と鍵データとが対応して記憶されており、この鍵データは暗号コードからなる。また、この実施の形態においては、各部屋Ａ，Ｂの鍵装置５はセンター４とは接続されておらず、端末１からの制御信号を受信する機能と、この制御信号中に含まれている対応する鍵データにより動作する電磁アクチュエータ等の駆動機構と、この駆動機構により開閉駆動される鍵機構とで構成されている。
【００３４】
かかる第３の実施の形態において、予約時における端末１とセンター４の処理手順は、図６をもって説明した第１の実施の形態と同様である。しかし、ユーザが予約した部屋の鍵を開閉するに際しては、端末１とセンター４のＣＰＵ１１，１５、及び各部屋Ａ，Ｂの鍵装置５が、図１３に示すフローチャートに従って動作する。すなわち、ユーザが端末１においてキー入力部９に設けられているキー９ａ、９ｂ、９ｃのいずれかを操作すると、端末１のＣＰＵ１１は、操作されたキーの種別によりその命令内容を識別する（ステップＴＤ１）。そして、開キー９ｂ又は閉キー９ｃが操作されたならば、命令内容は「鍵取得」であると断定して（ステップＴＤ２）、この鍵開閉命令と当該端末１の端末ＩＤとを送受信部１０及びアンテナ７を介して送信した後（ステップＴＤ３）、センター４からの応答待ちの状態を維持する（ステップＴＤ４）。
【００３５】
一方センター４は、端末１からの受信待ちの状態を維持しており（ステップＣＤ１）、端末１から情報を受信するとその命令内容を識別する（ステップＣＤ２）。そして、鍵取得命令を受信したならば、命令内容は「鍵取得」であると断定して（ステップＣＤ３）、予約情報データベース３の検索を開始する。そして、この検索結果に基づき、同端末ＩＤで、かつ、現在時刻が予約時間内の予約情報にあるか否か、つまり受信した端末ＩＤが予約情報データベース３の端末ＩＤ記憶エリア３ｃに記憶され、かつ、現在時刻が、この端末ＩＤ記憶エリア３ｃと対応する時間記憶エリアに記憶されている予約時間内であるか否かを判別する（ステップＣＤ４）。この判別の結果、受信した端末ＩＤが予約情報データベース３の端末ＩＤ記憶エリア３ｃに記憶されていない場合、及び記憶されていても、現在時刻が、この端末ＩＤ記憶エリア３ｃと対応する時間記憶エリアに記憶されている予約時間内でない場合には、この鍵開閉命令を受け付けるわけにはいかないことから、『鍵開閉不可』を送信する（ステップＣＤ６）。
【００３６】
しかし、受信した端末ＩＤが予約情報データベース３の端末ＩＤ記憶エリア３ｃに記憶されており、かつ現在時刻が、対応する時間記憶エリアに記憶されている予約時間内であれば、間違いなく予約したユーザが、当該部屋を使用する権利を有する時間内に鍵取得を要求している場合である。したがって、この場合には受信した鍵取得命令に対して、『鍵開閉ＯＫ』と予約された部屋の鍵装置５の鍵データとを送信する（ステップＣＤ５）。
【００３７】
すると、ステップＴＤ４でセンター４からの応答待ちを維持している端末１は、センター４から送信された情報を受信して、受信内容が鍵開閉ＯＫであるか否かを判別し（ステップＴＤ５）、鍵開閉ＯＫではなく鍵開閉不可である場合には、ステップＴＤ６及びＴＤ７の処理を行うことなく、『鍵開閉不可』の表示のみを行う（ステップＴＤ８）。しかし、受信内容が鍵開閉ＯＫである場合には、鍵開閉制御命令とセンター４から受信した鍵データとを、鍵装置５に送信する（ステップＣＤ６）。このとき、開キー９ｂが操作された場合には開を指定し、閉キー９ｂが操作された場合には閉を指定した鍵開閉制御命令を送信し、しかる後に、鍵データを破棄し（ステップＳＤ７）、『鍵開閉ＯＫ』の表示を行う（ＳＤ８）。
【００３８】
他方、各部屋Ａ、Ｂの鍵装置５は、センター４からの命令である開閉制御信号と鍵データ待ちの状態を常時維持しており（ステップＫＤ１）、開閉制御信号が入力されるとその信号が示す内容に応じて鍵開閉機構を動作させて（ステップＫＤ２，ＫＤ３）、鍵を開又は閉駆動する（ステップＫＤ４）。つまり、端末１からは前述したステップＴＤ６の処理により、端末から開閉制御信号のみならず鍵データも送信され、この鍵データは各部屋の鍵装置５毎に異なることから、予約された部屋の鍵装置５のみが予約された時間内においてのみ開閉動作することとなる。よって、センター４と各鍵装置５とを制御線で接続せずとも、適正に予約された部屋の鍵を予約された時間内においてのみ開閉させることができる。
【００３９】
なお、実施の形態においては、鍵データをセンター４から一旦端末１に送信し、この端末１からさらに鍵装置５に送信して、該鍵装置５を開閉動作させるようにしたが、鍵データを直接センター４から鍵装置５に送信して開閉動作させるようにしてもよい。また、この第３の実施例においてもステップＴＤ３の鍵取得命令に鍵開閉指定を追加し、センター４で各部屋毎に端末１からの鍵取得命令の履歴を記憶すれば、部屋の使用状況の把握が可能となる。また、センター４で予約時間が過ぎても端末１から鍵取得命令がない場合には、端末に注意を促す通知をすることにより、鍵の閉め忘れを防止することができる。また、各実施の形態においては、部屋Ａ，Ｂを予約対象とし、各部屋Ａ，Ｂのドアに鍵装置５を配置した場合を示したが、部屋に限らず鍵を用いる他の施設、設備、箇所等に適用できることは勿論である。
【００４０】
【発明の効果】
以上説明したように本発明によれば、鍵の受け渡しを伴うことなく、予約対象の鍵錠装置を開閉動作させることができることから、鍵の受け渡しに伴う予約した者及び管理部署の煩雑性を解消することができるとともに、管理コストの削減及びセキュリティの確保を図ることができる。
【００４２】
【図面の簡単な説明】
【図１】本発明の第１の実施の形態を示すシステム構成図である。
【図２】同実施の形態の端末と部屋予約時における表示内容とを示す図である。
【図３】端末の構成を示すブロック図である。
【図４】センターの構成を示すブロック図である。
【図５】予約情報データベースの構成図である。
【図６】第１の実施の形態における端末とセンターの部屋予約時の処理手順を示すフローチャートである。
【図７】第１の実施の形態における端末とセンターの鍵開閉時の処理手順、及び鍵装置の動作手順を示すフローチャートである。
【図８】本発明の第２の実施の形態を示すシステム構成図である。
【図９】部屋／基地局対応データベースの構成図である。
【図１０】第２の実施の形態における端末とセンターの鍵開閉時の処理手順、及び鍵装置の動作手順を示すフローチャートである。
【図１１】本発明の第３の実施の形態を示すシステム構成図である。
【図１２】鍵データメモリの構成図である。
【図１３】第３の実施の形態における端末とセンターの鍵開閉時の処理手順、及び鍵装置の動作手順を示すフローチャートである。
【符号の説明】
１    端末
２    基地局
３    予約情報データベース
４    センター
５    鍵装置
１８    部屋／基地局対応データベース
１９    鍵データメモリ
【図１】
0003845948.tif 000002
【図２】
0003845948.tif 000003
【図３】
0003845948.tif 000004
【図４】
0003845948.tif 000005
【図５】
0003845948.tif 000006
【図６】
0003845948.tif 000007
【図７】
0003845948.tif 000008
【図８】
0003845948.tif 000009
【図９】
0003845948.tif 000010
【図１０】
0003845948.tif 000011
【図１１】
0003845948.tif 000012
【図１２】
0003845948.tif 000013
【図１３】
0003845948.tif 000014